(57)【要約】  【課題】  昼間と夜間で警報音の種類を自動的に変更できるようにして、特に夜間における警報機能を向上し、しかも構成が簡単で、低価格で製造可能なドア用警報器を提供する。  【解決手段】  ドアＡの開放を検出して警報音を発するドア用警報器１であって、アラーム音やチャイム音など音質や音域などの異なる少なくとも２種類の警報音を発生可能に構成し、明暗センサ４を設けて周辺の明暗に応じて警報音の種類を自動的に変更するようにしている。【選択図】        図１
2008261158.tif 000002
【特許請求の範囲】
【請求項１】
ドアの開放を検出して警報音を発するドア用警報器において、
アラーム音やチャイム音など音質や音域などの異なる少なくとも２種類の警報音を発生可能に構成し、明暗センサを設けて周辺の照度に応じて警報音の種類を自動的に変更するようにしたことを特徴とするドア用警報器。
【請求項２】
ドアの開放を検出して警報音を発する請求項１記載のドア用警報器において、
マイクロコンピュータ、音声データ用メモリおよびＵＳＢ端子を設け、転送する音声データを選択する機能、選択した音声データを前記ドア用警報器に内蔵のアンプおよびスピーカで再生可能な形式に変換する機能および変換した機能をＵＳＢ経由で転送する機能を有するプログラムソフトを前記マイクロコンピュータに読み込ませたことを特徴とするドア用警報器。
【発明の詳細な説明】
【技術分野】
【０００１】
この発明は、一般にドアチャイムやドアアラームやドアセンサと呼ばれているドア用警報器に関するもので、本明細書においてドアには開閉扉以外に引戸なども含まれる。
【背景技術】
【０００２】
この種のドア用警報器は、ドアの開放時にｏｎになり閉鎖時にｏｆｆになるドアの開閉検知用スイッチと、ｏｎになると警報音を発する警報器を収納した本体部分とで構成されており、本体部分に電源としての乾電池を収納するタイプのものが多く、通常は本体部分と開閉スイッチのうちの一方をドア側に他方をドア枠側に取り付けて使用されている。また、開閉スイッチが例えば磁石と磁気センサ（マグネットセンサ）との一対の部材で構成されるものでは、一方をドア側に他方をドア枠側に取り付け、警報器本体をドア枠側の部材とケーブルで接続したうえで壁面等に取り付けるタイプのものがあるが、このタイプのドア用警報器では電源に主にＡＣ１００Ｖを使用している。開閉スイッチには、上記のマグネット式や機械（バネ）式のものが一般的に使用されている。
【０００３】
上記のドア用警報器に関する製品として、本体部分にチャイム音とアラーム音とを切り替える手動スイッチを設け、スイッチを切り替えることにより、「ピンポン」というチャイム音と「ピーポー」というアラーム音とを選択して使用できるドア用警報器が販売されている(例えば、非特許文献１参照）。
【０００４】
上記の開閉スイッチに関する先行技術として、磁気センサが磁石により発生する磁界を検出し、出力信号が変化することによって、ドアが閉止状態または開放状態にあることを検出する装置が提案されている（例えば、特許文献１参照）。
【非特許文献１】松下電工株式会社製ＥＣ９１１ＷＰ
【特許文献１】特開平６−１２４６３０号公報
【発明の開示】
【発明が解決しようとする課題】
【０００５】
上記のような従来のドア用警報器では、チャイム音やアラーム音など種類の異なる複数の警報音から選択できるものが一般的であるが、その選択作業は、手動でのスイッチの切り替えによるものが大半で、例えば昼間はチャイム音が鳴り、夜間はアラーム音が鳴るように自動的に切り替わるものは見当たらない。また、警報音には言葉を喋る音声タイプもあるが、いずれの場合でも、あらかじめ設定されている警報音から選択する必要があり、例えば極めて多数の曲からユーザーが任意に選択し、その選択した曲を警報音として使用するものも見当たらない。
【０００６】
本発明は上述の点に鑑みなされたもので、昼間と夜間で警報音の種類を自動的に変更できるようにして、特に夜間における警報機能を向上し、しかも構成が簡単で、低価格で製造可能なドア用警報器を提供することを第１の目的としている。
【０００７】
また、例えば、インターネットやＣＤなどからパーソナルコンピュータにダウンロードした曲を、簡単に本体内のメモリーに記憶させて警報音として使用することができるドア用警報器を提供することを第２の目的としている。
【課題を解決するための手段】
【０００８】
上記の目的(第１)を達成するために本発明(請求項１）に係るドア用警報器は、ドアの開放を検出して警報音を発するドア用警報器において、アラーム音やチャイム音など音質や音域などの異なる少なくとも２種類の警報音を発生可能に構成し、明暗センサ(照度センサともいう）を設けて周辺の照度に応じて警報音の種類を自動的に変更するようにしたことを特徴とする。
【０００９】
上記の目的(第２)を達成するために本発明（請求項２）に係るドア用警報器は、ドアの開放を検出して警報音を発する請求項１記載のドア用警報器において、マイクロコンピュータ、音声データ用メモリおよびＵＳＢ端子を設け、転送する音声データを選択する機能、選択した音声データを前記ドア用警報器に内蔵のアンプおよびスピーカで再生可能な形式に変換する機能および変換した機能をＵＳＢ経由で転送する機能を有するプログラムソフトを前記マイクロコンピュータに読み込ませたことを特徴とする。
【発明の効果】
【００１０】
上記の構成を有する本発明に係るドア用警報器には、次のような優れた効果がある。
【００１１】
請求項１に係るドア用警報器は、明暗センサが周辺の明るさ(照度）を検出して異なる警報音を発するようにしたので、夜間にドアが開放されると、例えば大音響のアラーム音を発生して警報する一方、昼間にドアが開放されると、例えば優しいチャイム音を鳴らして警報するので、従来と違って使用者がスイッチを切り替えて警報音を変更する必要がなく、非常に便利である。
【００１２】
また、請求項２に係るドア用警報器は、マイクロコンピュータ、音声データ用メモリおよびＵＳＢ端子を設け、ＰＣ等にダウンロードした曲などを転送してメモリに記憶させ、警報音や呼び出し音として使用できるようにしているので、あらかじめ設定されているチャイム音やアラーム音に限らず、使用者の好みにあった曲を自由に警報音として使用できる。また、音声データのドア用警報器への取り込みは、ＵＳＢ経由で内蔵のプログラムソフトを使って簡単に行える。
【発明を実施するための最良の形態】
【００１３】
以下、本発明に係るドア用警報器について実施の形態を図面に基づいて説明する。
【００１４】
図１は本発明の実施例に係るドア用警報器の使用態様を示す斜視図、図２は本発明の実施例に係るドア用警報器について警報回路の構成を示すブロック回路図、図３はＰＣを使用したチャイム音のデータの転送態様を示す説明図、図４は本発明の実施例に係るドア用警報器の警報処理の手順を示すフローチャートである。
【００１５】
図１に示すように、本実施例に係るドア用警報器１は開閉扉Ａの一側縁の上端部に貼着される磁石１１を備えており、ドア用警報器１の本体２は磁石１１に対応する位置のドア枠もしくはドア枠に隣接する壁面Ｂに両面テープ(図示せず)等で貼着することにより取り付けられる。本体２内には、図２に示すように磁気センサ(マグネットセンサ）３が設けられており、この磁気センサ３を磁石１１に対向させた状態で使用される。また、本体２の正面の隅角部に明暗センサ(照度センサ）４が配備されている。磁気センサ３は、制御部としてのマイクロコンピュータ(以下、マイコンという）５に直接に、また明暗センサ４はA／Dコンバータ６を介してマイコン５に接続されている。磁気センサ３はマイコン５に対し、磁石１１との距離でＬｏｗ(スイッチ切）／Ｈｉｇｈ（スイッチ入）を検出できるように接続している。明暗センサ４は周囲の明るさに応じて出力電圧が変化するが、その出力電圧がA／Dコンバータ６により数値化される。
【００１６】
このマイコン５には、記憶装置としてＲＡＭと音声データ用メモリとしての不揮発性メモリ(例えばフラッシュメモリ）とが配備されている。また、マイコン５の動作用電源として、本例ではＡＣ１００Ｖ電源を用いているが、本体２内に収納可能な乾電池を用いることもできる。さらに、マイコン５には、オーディオアンプ７を介してスピーカ８が接続されており、マイコン５からは本例の場合、チャイム音またはアラーム音がＰＷＭ信号で出力される。さらにまた、マイコン５には、ＵＳＢ機器を接続するためのＵＳＢ端子９が接続されている。これにより、図３に示すようにパーソナルコンピュータ(以下、ＰＣという）１２をＵＳＢケーブル１３を介して本体２に接続し、ＰＣ１２にダウンロードした曲などを転送して不揮発性メモリに記憶させることができる。
【００１７】
ここで、上記マイコン５による動作処理の手順を図４のフローチャートに基づいて説明する。この警報処理は、予め用意したプログラムを本体２内のマイコン５が遂行することで実行される。また、図４に示されるフローチャートの処理は所定周期で繰り返し実行される。
【００１８】
図４に示すように、待機状態において動作をスタートする（ステップＳ１）と、ＰＣ１２をＵＳＢ端子９に接続しているか否かが判断される（ステップＳ２）。ＹＥＳであれば、ＰＣ１２からの音声データをマイコン５が受信し（ステップＳ３）、不揮発性メモリに転送して記憶する（ステップＳ４）。そして、ステップＳ４が終了すると、ステップＳ１のスタート(待機状態）に戻る。
【００１９】
一方、Ｎｏの場合には、通常の警戒モードになるので、磁気センサ３を介してＨｉｇｈ（スイッチ入）か否かを検出する（ステップＳ５）。そして、例えば開閉扉Ａ（図１参照）が開放されると、Ｙｅｓになって次のステップＳ６へ移り、このステップＳ６で明暗センサ４から電圧値がマイコン５へ入力され、マイコン５により照度つまり明（例えば、数値化された電圧値を設定値より高いかどうか比較し、高いとき)か暗かを判断する（ステップＳ７）。明（ＹＥＳ）の場合には、不揮発性メモリのチャイム音用エリアから音声データを読み出し、ＰＷＭ信号を出力する（ステップＳ８）。暗（ＮＯ）の場合には、不揮発性メモリのアラーム音用エリアから音声データを読み出し、ＰＷＭ信号を出力する（ステップＳ９）。そして、ステップＳ８またはステップＳ９が終了すると、ステップＳ１のスタート(待機状態）へ戻る。
【００２０】
なお、上記のフローチャートでは、磁気センサ３を介してＨｉｇｈ（スイッチ入）を検出した場合（ステップＳ５の判断結果がＹＥＳの場合）、チャイム音またはアラーム音を本体２に内蔵したタイマー(図示せず）によって一定時間連続して出力するように構成しているが、チャイム音またはアラーム音を１回だけ出力するように構成することもできる。また、上記実施例では、明暗センサ４による明／暗の判断に使用する電圧値をマイコン５に設定しているが、この代わりに不揮発性メモリに格納エリアを設けることにより、ＰＣ１２からＵＳＢケーブル１３およびＵＳＢ端子９の経由で、逐次記憶させるようにしてもよい。
【００２１】
ところで、上記実施例に係るドア用警報器１によれば、チャイム音およびアラーム音としてあらかじめマイコン５に設定した固定の音声データとは別に、ＰＣ１２にダウンロードした曲などの所望の音声データを、図３に示すようにＵＳＢ経由でドア用警報器１の本体２に転送して自由に使用することができる。このため、本体２内のマイコン５には、音声データを受信するためのプログラムソフトがインストールされている。また、ＰＣ１２にもプログラムソフトがインストールされているが、このプログラムソフトには、転送する音声データ(例えばＷＡＶＥファイル）を選択する機能、選択した音声データをドア用警報器１で再生可能な形式に変換する機能および変換した機能をドア用警報器１にＵＳＢ経由で転送する機能が含まれている。さらに、明暗センサ４による明と暗とを判定するための電圧値を設定する機能も含まれている。
【００２２】
続いて、ドア用警報器１への音声データの書き込みについて動作の手順を図５〜図８に基づいて説明する。
【００２３】
図５は本実施例のドア用警報器の制御部(マイコン）におけるメモリアップの一例を示す説明図である。同図に示すように、アドレス0000H番地から7FFFH番地までをプログラムエリアとし、8000H番地からFFFF番地までを音声データエリアとする。また、この音声データエリアにおいて、8000H番地からBFFFH番地までをチャイム用とし、C000H番地からFFFFH番地までをアラーム用とする。
【００２４】
図６はＰＣ１２からドア用警報器１への音声データの書き込みシーケンスの一例を示す説明図、図７は図６における音声データの書き込みシーケンスのコマンドの一例を示す説明図、図８は音声データ転送用プログラムソフトの、ＰＣにおける操作画面の一例を示す概念図である。ドア用警報器１への音声データの書き込みは、上記したようにＰＣ１２をＵＳＢケーブル１３を介して本体２に接続した状態で、音声データの転送用ソフトウェア(図８参照）を起動する。ＰＣ１２側ソフトウェアでは、Graphical User Interface（グラフィカルインターフェース）の操作で、図８の音声データファイル名入力エリア１４に音声データファイル名を入力する。右隣の参照ボタン１５をクリックすることにより、ファイルを選択するウィンドウが表示されるので、そのウィンドウでファイル名を入力できるようにしている。
【００２５】
このようにしてファイル名を入力後、音声転送ボタン１６をクリックすることにより、ＰＣ１２からＵＳＢ経由で音声データがドア用警報器１へ転送される。ＰＣ１２からドア用警報器１へは、シリアルデータで音声データを転送する。図８の音声転送ボタン１６をクリックすると、図６のシーケンス例に示すように、1)音声データ書き込み開始命令が送信される。音声データ書き込み開始命令は図７の(a)に示すとおりで、書き込みに際し「音声データエリア」を指定しておく。一方、ドア用警報器１側では、図６の(1)に示すように書き込み開始命令を受信し、マイコン５の内部変数の初期化を行い、音声データを受信する準備を行う。この準備が完了すると、図６の(2)に示すようにＯＫ信号をＰＣ１２へ送信する。ただし、受信した信号にエラーがある場合（チェックサムにより判定）は、ＮＧ信号をＰＣ１２に対し送信する。また、ＮＧ信号をＰＣ１２が受信した場合は、エラーが発生した旨、ウィンドウに表示し、ＰＣ側ソフトを終了する。なお、図示は省略するが，ＮＧの処理は次のコマンドでも同様に行われるものとする。
【００２６】
次に、ＰＣ１２から図６の(3)(図７の(b))に示す音声データエリア消去命令を送信する。ドア用警報器１側で図６の(3)(図７の(b))の命令を受信し、不揮発性メモリ内のデータを消去する。つまり、図７の(b)の命令で指定した音声データエリアを消去する。ドア用警報器１側で不揮発性メモリ内のデータの消去が完了すれば、ＰＣ１２に対しＯＫ信号を送信する（図６の(4)）。続いて、ＰＣ１２側から音声データ書き込み命令(図７の(c)）を送信する(図６の(5)）。音声データ書き込み命令(図７の(c)）には、音声データエリア、データサイズおよびシーケンス番号を含めておく。シーケンス番号は０から始まりデータを送信するたびに１ずつ加算される。ドア用警報器１側で音声データ書き込み命令(図７の(c)）を受信すると、一旦ＲＡＭへ音声データを転送し、音声データエリアおよびシーケンス番号の確認を行い、チェックサムが一致していれば、不揮発性メモリへの書き込みを行う。
【００２７】
これらの動作に対応してドア用警報器１のマイコン５では、音声データエリア、シーケンス番号およびデータサイズから不揮発性メモリへの書き込みアドレスを計算する。そして、書き込み作業が完了すれば、ＯＫ信号をＰＣ１２へ送信する。なお、データエラーが発生している場合はＮＧ信号をＰＣ１２へ送信する。
【００２８】
ＰＣ１２はＯＫ信号を受信すると、シーケンス番号に１を加算し、１加算のシーケンス番号の音声データ書き込み命令を送信する(図６の(5)）。一方、ＮＧ信号を受信すると、同じ(１を加算する前の）シーケンス番号の音声データ書き込み命令を送信する(図６の(5)）。このようにして音声データの送信が全て終了するまで、繰り返し送信する。
【００２９】
そして、ＰＣ１２からの音声データの送信が終了すると、書き込み終了命令(図７の(d)）を送信する(図６の(7)）。これに対応して、ドア用警報器１が書き込み終了命令(図７の(d)）を受信する(図６の(7)）と、終了処理を行い、ＯＫ信号をＰＣ１２へ送信し（図６の(8)）、一連の音声データ転送作業が終了する。
【００３０】
以上に、本発明の実施例に係るドア用警報器１について通常の警報態様および音声データの転送態様について一連の動作手順を説明したが、それらは一例であり、適宜変更して実施できる。
【図面の簡単な説明】
【００３１】
【図１】本発明の実施例に係るドア用警報器の使用態様を示す斜視図である。
【図２】本発明の実施例に係るドア用警報器について警報回路の構成を示すブロック回路図である。
【図３】ＰＣを使用したチャイム音のデータの転送態様を示す説明図である。
【図４】本発明の実施例に係るドア用警報器の警報処理の手順を示すフローチャートである。
【図５】本発明の実施例に係るドア用警報器の制御部(マイコン）におけるメモリアップの一例を示す説明図である。
【図６】ＰＣからドア用警報器への音声データの書き込みシーケンスの一例を示す説明図である。
【図７】図６における音声データの書き込みシーケンスのコマンドの一例を示す説明図である。
【図８】本発明の実施例に係るドア用警報器における音声データ転送用プログラムソフトの、ＰＣにおける操作画面の一例を示す概念図である。
【符号の説明】
【００３２】
１  ドア用警報器
２  本体
３  磁気センサ(マグネットセンサ）
４  明暗センサ(照度センサ）
５  マイクロコンピュータ(マイコン）
６  A／Dコンバータ
７  オーディオアンプ
８  スピーカ
９  ＵＳＢ端子
１１  磁石
１２  ＰＣ(パーソナルコンピュータ）
１３  ＵＳＢケーブル
【図１】
2008261158.tif 000003
【図２】
2008261158.tif 000004
【図３】
2008261158.tif 000005
【図４】
2008261158.tif 000006
【図５】
2008261158.tif 000007
【図６】
2008261158.tif 000008
【図７】
2008261158.tif 000009
【図８】
2008261158.tif 000010